(57)【要約】      （修正有）【課題】必要とするワイヤ数より少ない本数によって構成できる支持部材、及びこれを採用した光ピックアップアクチュエータ及び光記録／再生装置を提供する。【解決手段】対物レンズ２が搭載されるボビン５に結合されて前記ボビン５を遊動的に支持する支持部材８は、螺旋形に形成し、電流が供給されるワイヤパターンを設けるようにする。また、対物レンズ２が搭載されたボビン５を磁気駆動部により駆動するための光ピックアップアクチュエータは、前記ボビン５が前記支持部材８によって懸架するようにする。【選択図】図３
2005044500.tif 000002
【特許請求の範囲】
【請求項１】
電流が供給されるワイヤパターンを有し、対物レンズが搭載されたボビンに結合されて前記ボビンを遊動的に支持することを特徴とする支持部材。
【請求項２】
前記ワイヤパターンがＰＣＢより形成されることを特徴とする請求項１に記載の支持部材。
【請求項３】
前記支持部材が螺旋形によられていることを特徴とする請求項１または２に記載の支持部材。
【請求項４】
対物レンズが搭載されたボビンを磁気駆動部により駆動するための光ピックアップアクチュエータであり、
前記ボビンが支持部材により懸架されており、前記支持部材が電流が供給されるワイヤパターンを有することを特徴とする光ピックアップアクチュエータ。
【請求項５】
前記支持部材が螺旋形によられていることを特徴とする請求項４に記載の光ピックアップアクチュエータ。
【請求項６】
前記ワイヤパターンがＰＣＢより形成されたことを特徴とする請求項４または５に記載の光ピックアップアクチュエータ。
【請求項７】
光ピックアップアクチュエータを採用して対物レンズが搭載されたボビンを光ディスクに対して移動させつつ前記光ディスクに対して情報の記録及び／または再生を行う装置において、
前記ボビンが支持部材により懸架されており、前記支持部材が電流が供給されるワイヤパターンを有することを特徴とする光記録／再生装置。
【請求項８】
前記支持部材が螺旋形によられていることを特徴とする請求項７に記載の光記録／再生装置。
【請求項９】
前記ワイヤパターンがＰＣＢより形成されたことを特徴とする請求項７または８に記載の光記録／再生装置。
【請求項１０】
ホルダと対物レンズとを支持するボビンを連結する支持部材であり、前記ボビンは磁気駆動部により駆動され、前記支持部材は電流が供給されるワイヤパターンを有することを特徴とする支持部材。
【請求項１１】
ベースと、
ベースに形成されたホルダと、
対物レンズが搭載されたボビンと、
ホルダと対物レンズとを支持するボビンを連結し、電流が供給される螺旋形のワイヤパターンを有する支持部材と、
前記ボビンをトラック方向、フォーカシング方向及びチルト方向に駆動させる磁気駆動部とを含むことを特徴とする光ピックアップアクチュエータ。
【請求項１２】
（＋）フォーカシングワイヤと（−）フォーカシングワイヤとが第１支持部材に形成され、（＋）トラッキングワイヤと（−）トラッキングワイヤとが第２支持部材に形成され、（＋）チルトワイヤと（−）チルトワイヤとが第３支持部材に形成されることを特徴とする請求項１１に記載の光ピックアップアクチュエータ。
【請求項１３】
前記磁気駆動部は、ベースに結合される少なくとも１つの磁石と、前記磁石に隣接されるように設けられてボビンをトラック方向とフォーカシング方向とに駆動するためのトラックコイル及びフォーカシングコイルを含むワイヤパターンを含むことを特徴とする請求項１１または１２に記載の光ピックアップアクチュエータ。
【請求項１４】
前記磁気駆動部はボビンをチルト方向に駆動するためのチルトコイルをさらに含むことを特徴とする請求項１３に記載の光ピックアップアクチュエータ。
【請求項１５】
前記支持部材は三つより構成されることを特徴とする請求項１１または１２に記載の光ピックアップアクチュエータ。
【発明の詳細な説明】
【技術分野】
【０００１】
本発明は部品数を減らして組立て工数と不良率とを減少させた支持部材、これを採用した光ピックアップアクチュエータ及び光記録／再生装置に係る。
【背景技術】
【０００２】
一般的に、光ピックアップ装置は光記録／再生装置に採用されて記録媒体の光ディスクの半径方向に移動しつつ非接触式でターンテーブルに搭載された光ディスクに対して情報の記録及び／または再生を行う装置である。
【０００３】
この光ピックアップ装置は光源から出射された光を収束して光ディスクに光スポットを形成する対物レンズと、この対物レンズにより形成された光スポットが光ディスクの正確な位置に置かれるように前記対物レンズをトラック方向、フォーカス方向及びチルト方向に制御するアクチュエータとを含む。
【０００４】
光ピックアップアクチュエータは基本的にトラック方向とフォーカス方向駆動のための２軸駆動アクチュエータがある。ところで、近来には高密度記録のために対物レンズの開口数が高まり、レーザの波長が短くなることにより光ピックアップアクチュエータのチルトマージンが減少するので、これを補償するために既存の２軸駆動以外にチルト方向駆動までできる３軸駆動または４軸駆動アクチュエータが要求される。３軸駆動はフォーカス方向、トラック方向及びチルトラジアル方向駆動を意味し、４軸駆動はフォーカス方向、トラック方向、チルトラジアル方向及びチルトタンジェンシャル駆動を意味する。図１を参照すれば、フォーカス方向がＬ−Ｌ’、トラック方向がＭ−Ｍ’、チルトラジアル方向がＮ、チルトタンジェンシャル方向がＯとそれぞれ表示されている。
【０００５】
図１を参照すれば、従来の光ピック用アクチュエータは、ベース１００と、このベース１００に固定されたホルダ１０３と、対物レンズ１０５が搭載されたボビン１０７と、前記ボビン１０７から前記ホルダ１０３まで連結されたワイヤ１０９と、前記ボビン１０７をトラック方向、フォーカス方向またはチルト方向に動かす磁気駆動部とを備える。
【０００６】
前記磁気駆動部は、前記ボビン１０７の対向する側面１０７ａにそれぞれ１対ずつ設けられたフォーカスコイル１１０とチルトコイル１１２、前記フォーカスコイル１１０とチルトコイル１１２とが配されていない他の側面１０７ｂに配されたトラックコイル１１５及び前記フォーカスコイル１１０、チルトコイル１１２及びトラックコイル１１５に対向されるように所定間隔をおいて前記ベース１００上に設けられた第１磁石１１７及び第２磁石１１９を含む。また、前記ベース１００に設けられて前記第１磁石１１７及び第２磁石１１９をそれぞれ固定する外側ヨーク１１８，１２０と、前記第１磁石１１７に対して対向する位置の前記ベース１００に設けられて前記ボビン１０７をガイドできる内側ヨーク１２２とがさらに備わる。前記外側ヨーク１１８，１２０と内側ヨーク１２２とは前記第１及び第２磁石１１７，１１９による磁路が所望の所に向かうように誘導するためのものである。
【０００７】
一方、前記ワイヤ１０９は一端が前記ボビン１０７の両側面にハンダ付けされ、他端が前記ホルダ１０３に連結されて磁気駆動部に電流を印加する回路部に電気的に接続される。
【０００８】
図２Ａは前記フォーカスコイル１１０及びチルトコイル１１２とこれに対応する第１磁石１１７との相互作用による力関係を述べるために、磁石の極性と電流方向とを例にして概略的に示した。ここで、前記ボビン１０７の４つの側面のうち２側面１０７ａに備わった前記フォーカスコイル１１０は、フレミングの左手法則により力Ｆｆを受けてボビン１０７がフォーカス方向Ｌに運動する。電流Ｉの方向が反対になれば、フォーカスコイル１１０は反対方向Ｌ’に力を受ける。
【０００９】
一方、前記チルトコイル１１２は前記ボビン１０７の２側面１０７ａに前記フォーカスコイル１１０と共に１対が備わって前記第１磁石１１７と相互作用を行う。この時、両側チルトコイル１１２にそれぞれ大きさが同じであって方向が反対である電流を印加すれば、両側チルトコイルが受ける力Ｆｔｉが互いに反対になるのでチルト方向、特にラジアルチルト方向Ｎに駆動される。
【００１０】
また、図２Ｂは前記トラックコイル１１５とこれに対応する第２磁石１１９との相互作用による力関係を述べるために、磁石の極性と電流方向とを例にして概略的に示した。磁石とコイル間の力の方向と大きさとはフレミングの左手法則により決定される。従って、前記ボビン１０７の４つの側面のうち前記フォーカスコイル１１０及びチルトコイル１１２が配されない他の２側面１０７ｂに備わったトラックコイル１１５が第２磁石１１９によりトラック方向の力Ｆｔを受けてボビン１０７がトラック方向Ｍ運動を行う。ここで、電流Ｉの方向が反対になれば、トラックコイル１１５は反対方向Ｍ’に力を受ける。
【００１１】
上記の通りに、フォーカス方向、トラック方向及びチルト方向駆動のためには一般的にアクチュエータのワイヤ１０９が６本からなる。さらに、４軸駆動アクチュエータの場合にはさらに多くのワイヤが要求されうる。ところで、光ピック用アクチュエータは小型化及びスリム化の趨勢にある。従って、ワイヤ数が多いほど狭い空間に多数のワイヤを設ける工程が非常に困難で、組立工数が増加して収率が落ちて不良率が高まる短所がある。
【発明の開示】
【発明が解決しようとする課題】
【００１２】
本発明は前記の問題点を解決するために案出されたものであり、ワイヤパターンを形成して組立て工数を減少させ、生産性を向上させた支持部材、これを採用した光ピックアップアクチュエータ及び光記録／再生装置を提供するところに目的がある。
【課題を解決するための手段】
【００１３】
前記の目的を達成するために本発明による支持部材は、電流が供給されるワイヤパターンを有し、対物レンズが搭載されたボビンに結合されて前記ボビンを遊動的に支持することを特徴とする。
【００１４】
前記ワイヤパターンがＰＣＢより形成されることを特徴とする。
【００１５】
前記支持部材が螺旋形によられていることを特徴とする。
【００１６】
前記の目的を達成するために本発明による光ピックアップアクチュエータは、対物レンズが搭載されたボビンを磁気駆動部により駆動するための光ピックアップアクチュエータであり、前記ボビンが支持部材により懸架されており、前記支持部材が電流が供給されるワイヤパターンを有することを特徴とする。
【００１７】
前記の目的を達成するために本発明による光記録／再生装置は、光ピックアップアクチュエータを採用して対物レンズが搭載されたボビンを光ディスクに対して移動させつつ前記光ディスクに対して情報の記録及び／または再生を行う装置において、前記ボビンが支持部材により懸架されており、前記支持部材が電流が供給されるワイヤパターンを有することを特徴とする。
【発明の効果】
【００１８】
本発明による支持部材はワイヤパターンを有しており、必要となるワイヤ数より少ない個数より構成され、螺旋形に形成されていて全体的に駆動方向に対して同じ剛性を示すようになっている。
【００１９】
また、本発明による支持部材を含む光ピックアップアクチュエータ及び光記録／再生装置は、支持部材の個数を最少化できるので、組立て工数が減少されて不良率を減らし、収率を向上させうる。
【発明を実施するための最良の形態】
【００２０】
以下、添付された図面を参照して本発明の実施例を詳細に説明する。
【００２１】
本発明による光ピックアップアクチュエータは、図３を参照すれば、対物レンズ２が搭載されたボビン５と、一端が前記ボビン５に結合されて他端がホルダ６に結合された少なくとも１つの支持部材８とを含む。ここでは、前記ボビン５をフォーカシング方向、トラック方向及びチルト方向に駆動するための磁気駆動部を図示していない。
【００２２】
前記支持部材８は螺旋形によられている形態を有し、ワイヤパターンを有する。換言すれば、前記支持部材８は非伝導性材質にワイヤパターンが形成された形態からなっている。そして、各支持部材８の端部に出ているワイヤ端をハンダ付けしてホルダ６とボビン５とに付着する。
【００２３】
例えば、前記ワイヤパターンはＰＣＢより形成され、少なくとも１本のワイヤを有するパターンより形成されうる。従って、必要によって複数本のワイヤパターンを形成して支持部材８の個数を最少化できる。例えば、（＋）フォーカシングワイヤＦ（＋）と（−）フォーカシングワイヤＦ（−）とを１つの支持部材より形成し、（＋）トラッキングワイヤＴ（＋）と（−）トラッキングワイヤＴ（−）を１つの支持部材より形成し、（＋）チルトワイヤｔ（＋）と（−）チルトワイヤｔ（−）とを１つの支持部材より形成できる。この外に、他の目的のためのワイヤがさらに必要な場合にワイヤパターンを有した支持部材より形成できる。例えば、ＬＣＤ駆動のためのワイヤＰ（＋），Ｐ（−）がさらに備わりうる。このように、ワイヤパターンを有した支持部材を形成することによって支持部材の全体個数を最少化できる。
【００２４】
光ピックアップアクチュエータをフォーカシング駆動、トラッキング駆動、チルト駆動するために、既存のワイヤを利用する場合に少なくとも６本のワイヤが要求され、ここに他の目的のためのワイヤがさらに必要ならば８本以上のワイヤがなければならない。しかし、本発明によってワイヤパターンを有した支持部材を利用する場合に４本に減らせる。
【００２５】
前記支持部材８はその断面がいずれか一方の長さが他方向の長さに比べて相対的に短い板状でありうる。このように断面の縦横の長さが異なる場合、支持部材が動く方向によって支持部材の剛性がそれぞれ異なるように作用しうる。支持部材の剛性による敏感度が非常に大きいために、方向によって剛性が相異なるように示されれば、フォーカシング制御、トラッキング制御及びチルト制御を精密に制御し難い。これを考慮し、駆動方向に関係なく剛性が同一に示されるように支持部材８を螺旋形に形成する。螺旋形によられた支持部材８は支持部材全体的に見る時、剛性が均一に示されることが分かる。図４は本発明による支持部材８に示される剛性をシミュレーションした結果を示したものである。支持部材８の剛性をカラー別に示したものであり、支持部材の全体的なカラーが似ていることが分かる。
【００２６】
図５は本発明による光ピックアップアクチュエータの一実施例を示したものである。
【００２７】
本発明による光ピックアップアクチュエータは、ベース１０、前記ベース１０上の一側に設けられたホルダ１２、対物レンズ１４が搭載されたボビン１５、前記ボビン１５をフォーカス方向、チルト方向及びトラック方向にそれぞれ駆動させるための磁気駆動部を含む。また、前記ホルダ１２とボビン１５間に少なくとも１つの支持部材３０が結合されている。
【００２８】
前記磁気駆動部は前記ボビン１５の両側面にフォーカス方向駆動のための少なくとも１つのフォーカスコイルと、トラック方向駆動のための少なくとも１つのトラックコイルと、チルト方向駆動のための少なくとも１つのチルトコイル及び前記フォーカスコイル、トラックコイル及びチルトコイルに対向されるように設けられた磁石２２とを含む。
【００２９】
例えば、前記少なくとも１つのフォーカスコイルは第１ないし第４フォーカスコイルＦＣ１，ＦＣ２，ＦＣ３，ＦＣ４より構成され、前記トラックコイルは２つのコイルＴＣ１，ＴＣ２より構成されうる。ここで、前記第１ないし第４フォーカスコイルＦＣ１，ＦＣ２，ＦＣ３，ＦＣ４はフォーカス駆動及びチルト駆動のために共通に使われる。また、前記磁石２２は前記ボビン１５を挟んで前記第１ないし第４フォーカスコイルＦＣ１，ＦＣ２，ＦＣ３，ＦＣ４、トラックコイルＴＣ１，ＴＣ２及びチルトコイルに対向されるように設けられる。
【００３０】
ここで、前記第１ないし第４フォーカスコイルＦＣ１，ＦＣ２，ＦＣ３，ＦＣ４、トラックコイルＴＣ１，ＴＣ２はいずれも前記ボビン１５の両側面に配され、コイルが配されていないボビン１５の残り両側面には前記第１ないし第４フォーカスコイルＦＣ１，ＦＣ２，ＦＣ３，ＦＣ４、トラックコイルＴＣ１，ＴＣ２に電流を印加するための支持部材３０が配される。
【００３１】
前記支持部材３０は前述のようにワイヤパターンを有し、各支持部材に２本のワイヤが含まれている時、フォーカシング駆動、トラッキング駆動及びチルト駆動のために３個の支持部材３０ａ，３０ｂ，３０ｃが備わり、例えばＬＣＤ駆動のためのワイヤが複数本さらに必要な時に総４個の支持部材３０ｄが備わりうる。ここでＬＣＤ駆動は、例えばデュアルレイヤディスクを使用する時に各レイヤの厚さ差によって発生する球面収差を補償するためのものである。球面収差を補正するためにボビンにＬＣＤを設ける時、ＬＣＤ駆動のために複数本のワイヤが必要である。
【００３２】
このようにＬＣＤ駆動のためのワイヤが追加される場合、フォーカシング駆動、トラッキング駆動及びチルト駆動のためのワイヤを含めて少なくとも８本のワイヤが備わりうる。例えば、８本のワイヤが要求される場合にはそれぞれ２本のワイヤパターンが形成された４個の支持部材を備えられる。そして、９本のワイヤが要求される場合には、２本のワイヤパターンが形成された３個の支持部材と、２本のワイヤパターンと１本のワイヤパターンが両面より形成された１個の支持部材を備えられる。
【００３３】
または、フォーカシング駆動、トラッキング駆動及びチルト駆動のためのワイヤだけ必要であり、フォーカシング駆動及びチルト駆動のためのワイヤを共通に使用する時には、前記第１ないし第４フォーカスコイルＦＣ１，ＦＣ２，ＦＣ３，ＦＣ４のための４本のワイヤを第１及び第２支持部材３０ａ，３０ｂにそれぞれ２本ずつパターンで形成し、残りの第３及び第４支持部材３０ｃ，３０ｄにトラックコイルＴＣ１，ＴＣ２のためのワイヤをそれぞれ１本ずつパターンで形成できる。
【００３４】
前記構成では前記第１ないし第４フォーカスコイルＦＣ１，ＦＣ２，ＦＣ３，ＦＣ４がフォーカス方向駆動及びチルト方向駆動を共に制御するようになっている。
【００３５】
一方、前記磁石２２は、例えば図６に図示されたように４分極されている。すなわち、磁石２２全体が４分面に分けられてＮ極とＳ極とが適切に分配されている。便宜上、４分極された磁石を第１分極２２ａ、第２分極２２ｂ、第３分極２２ｃ及び第４分極２２ｄに分け、第１分極２２ａはＮ極、第２分極２２ｂはＳ極、第３分極２２ｃはＮ極、第４分極２２ｄはＳ極とする。そして、前記磁石２２の各分極２２ａ，２２ｂ，２２ｃ，２２ｄに対して前記フォーカスコイルＦＣ１，ＦＣ２，ＦＣ３，ＦＣ４、トラックコイルＴＣ１，ＴＣ２がそれぞれ対応するように配される。
【００３６】
例えば、前記トラックコイルＴＣ１，ＴＣ２は前記第１分極２２ａと第２分極２２ｂ双方にわたって対向されるように配される。そして、前記フォーカスコイルＦＣ１，ＦＣ２，ＦＣ３，ＦＣ４は前記トラックコイルＴＣ１，ＴＣ２が配されたボビン１５の両側面に共に１対ずつそれぞれ備わるが、前記第１分極２２ａと第４分極２２ｄとにわたって対向されるように配されると共に、前記第２分極２２ｂと第３分極２２ｃとにわたって対向されるように配されうる。
【００３７】
これと異なり、前記磁石２２は２分極の面分極磁石でありうる。例えば２分極の面分極磁石ニつを１セットとして前記フォーカスコイルＦＣ１，ＦＣ２，ＦＣ３，ＦＣ４及びトラックコイルＴＣ１，ＴＣ２に対向されうるように所定間隔離隔されて配されうる。
【００３８】
ここで、前記フォーカスコイルＦＣ１，ＦＣ２，ＦＣ３，ＦＣ４及びトラックコイルＴＣ１，ＴＣ２は巻線コイルでありうる。または、図７に図示されたようにフォーカスコイル、チルトコイル及びトラックコイルのうち少なくともいずれか一つは微細類型コイル２０でありうる。微細類型コイル２０はフィルム上にコイル形態をパターニングして製造されるものであり、小さな空間に非常に有用に設けられる。
【００３９】
前述の実施例はチルトコイルが前記フォーカスコイルＦＣ１，ＦＣ２，ＦＣ３，ＦＣ４と共用に使われる場合である。すなわち、１つのコイルでフォーカス方向及びチルト方向駆動を共に制御するものである。
【００４０】
また他の実施例として、チルトコイルを前記フォーカスコイルと独立的に備えられる。この場合には、図８に図示されたように第１ないし第４チルトコイルＴｉＣ１，ＴｉＣ２，ＴｉＣ３，ＴｉＣ４が前記第１ないし第４フォーカスコイルＦＣ１，ＦＣ２，ＦＣ３，ＦＣ４と類似の位置に重畳されるように配される。ここで、前記コイルが第１及び第２微細類型コイル３５，３６形態に配される。
【００４１】
上記の通りにフォーカシングコイル、チルトコイル及びトラックコイルがそれぞれ独立的に駆動される時、フォーカシングコイルに共通の電流を印加するために少なくとも２本のワイヤが必要である。また、チルトコイルとトラックコイルとに電流を印加するために４本のワイヤが必要である。このように６本のワイヤが必要な場合、２本のワイヤパターンが形成された支持部材を二つ備え、１本のワイヤパターンが形成された支持部材を二つ備えてボビンの両側に２個ずつ配しうる。
【００４２】
前記のように本発明によれば、支持部材の個数を最少限に減らせるので、組立て工数を減らせ、これはアクチュエータの厚さがスリム化されつつさらに大きい効果を得られる。一方、前記磁石の分極配置とコイルの配置とについての前記説明は一例に過ぎず、発明の要旨を変更しない範囲内でさまざまな変形が可能であることはもちろんである。
【００４３】
前記磁石２２は前述のように４分極２２ａ，２２ｂ，２２ｃ，２２ｄの磁石をそのまま利用でき、前記フォーカスコイルＦＣ１，ＦＣ２，ＦＣ３，ＦＣ４は前記第１分極２２ａと第４分極２２ｄとにわたって対向されるように配されると共に、前記第２分極２２ｂと第３分極２２ｃとにわたって対向されるように配される。また、前記チルトコイルＴｉＣ１，ＴｉＣ２，ＴｉＣ３，ＴｉＣ４がパターニングされた第２微細類型コイル３６は前記フォーカスコイルＦＣ１，ＦＣ３とトラックコイルＴＣ１とがパターニングされた第１微細類型コイル３５の前面または背面に配置可能である。前記チルトコイルは、例えば前記ボビン１５の両側面１５ａに１対ずつ配されうる。図面では両側面のうち一方面の第１及び第３チルトコイルＴｉＣ１，ＴｉＣ３だけ示されているが、他の方向面にも同一に第２及び第４チルトコイルＴｉＣ２，ＴｉＣ４が配される。
【００４４】
一方、前記磁石２２は分極面積が対称的に４分極されうるが、前記トラックコイルＴＣ１，ＴＣ２の有効面積を確保するために、トラックコイルに対応する第１分極２２ａ及び第２分極２２ｂが第３分極２２ｃ及び第４分極２２ｄより広い面積に分極させうる。換言すれば、前記フォーカスコイルＦＣ１，ＦＣ２，ＦＣ３，ＦＣ４及びチルトコイルＴｉＣ１，ＴｉＣ２，ＴｉＣ３，ＴｉＣ４は前記第１ないし第４分極２２ａ，２２ｂ，２２ｃ，２２ｄをいずれも使用するのに対し、前記トラックコイルＴＣ１，ＴＣ２は第１分極２２ａ及び第２分極２２ｂだけを使用するので、フォーカスコイルＦＣ１，ＦＣ２，ＦＣ３，ＦＣ４及びチルトコイルＴｉＣ１，ＴｉＣ２，ＴｉＣ３，ＴｉＣ４との均衡的な配分のために分極面積を調節できる。
【００４５】
また、前記磁石２２の各分極２２ａ，２２ｂ，２２ｃ，２２ｄ間に中性区域２３を置ける。この中性区域２３は極性が互いに反対の接点地域で磁力線が相殺されることによって全体的な磁力が弱まることを防止するために各分極の境界地点に設けられる。
【００４６】
そして、前記磁石２２により発生する磁力線を所望の所へ誘導するために、外側ヨーク２５と内側ヨーク２７とをさらに備えられる。
【００４７】
次に、上記の通りに構成された本発明による光ピックアップアクチュエータの作用関係を説明する。
【００４８】
まず、フォーカスコイルとチルトコイルとを共用で使用する場合について説明する。前記フォーカスコイルＦＣ１，ＦＣ２，ＦＣ３，ＦＣ４と磁石２２との相互作用によりフォーカス方向Ｆ駆動とチルト方向Ｔ駆動とが行われる。
【００４９】
前記フォーカスコイルＦＣ１，ＦＣ２，ＦＣ３，ＦＣ４に電流をいずれの方向に印加するかによって駆動方向が決定される。前記フォーカスコイルに電流を印加する１つの方法として、前記第１及び第２フォーカスコイルＦＣ１，ＦＣ２に共通の電流が入力され、残りの第３及び第４フォーカスコイルＦＣ３，ＦＣ４に共通の電流が入力されうる。また、ある方法は前記第１ないし第４フォーカスコイルＦＣ１，ＦＣ２，ＦＣ３，ＦＣ４にそれぞれ異なる電流を印加する方法がある。
【００５０】
前者の場合に、第１及び第２フォーカスコイルＦＣ１，ＦＣ２及び第３及び第４フォーカスコイルＦＣ３，ＦＣ４にいずれも同じ方向の電流が印加されれば、前記磁石２２との相互作用により前記第１ないし第４フォーカスコイルＦＣ１，ＦＣ２，ＦＣ３，ＦＣ４が上向きまたは下向きの同方向に力を受ける。従って、前記ボビン１５のフォーカス方向Ｆ駆動を制御できる。これに対し、前記第１及び第２フォーカスコイルＦＣ１，ＦＣ２と第３及び第４フォーカスコイルＦＣ３，ＦＣ４とに位相が異なる電流が印加されれば、前記フォーカスコイルが左右側からそれぞれ上向きまたは下方の反対方向に力を受ける。従って、前記ボビン１５のチルト方向駆動を制御できる。これにより、フォーカス方向Ｆ、トラック方向Ｔ及び半径方向チルトＴｉｒの３軸駆動が可能である。
【００５１】
これと異なり、前記フォーカスコイルＦＣ１，ＦＣ２，ＦＣ３，ＦＣ４のうち第１及び第３フォーカスコイルＦＣ１，ＦＣ３の入力が共通であり、他の側面にある第２及び第４フォーカスコイルＦＣ２，ＦＣ４の入力が共通である時、位相が相異なる電流を印加すれば、タンジェンシャル方向Ｔｉｔのチルト駆動を行える。
【００５２】
さらに他の方式で、前記フォーカスコイルＦＣ１，ＦＣ２，ＦＣ３，ＦＣ４にそれぞれ独立的に電流が印加される場合、前記４つのフォーカスコイルに電流方向が同一に印加されれば、前記ボビン１５が上下方向に運動することによってフォーカス方向Ｆ駆動がなされる。
【００５３】
これに反し、第１ないし第４フォーカスコイルのうち第１及び第２フォーカスコイルＦＣ１，ＦＣ２と第３及び第４フォーカスコイルＦＣ３，ＦＣ４とにそれぞれ電流方向が反対に印加されれば、半径方向チルト駆動Ｔｉｒになる。または、前記第１ないし第４フォーカスコイルのうち第１及び第３フォーカスコイルＦＣ１，ＦＣ３と第２及び第４フォーカスコイルＦＣ２，ＦＣ４とにそれぞれ電流方向が反対に印加されれば、タンジェンシャル方向チルト駆動Ｔｉｔになる。
【００５４】
また、前記トラックコイルＴＣ１，ＴＣ２は第１分極２２ａ及び第２分極２２ｂとの相互作用により前記ボビン１５がトラック方向Ｔに運動させる。このようにして、フォーカス方向Ｆ、トラック方向Ｔ、ラジアルチルト方向Ｔｉｒ及びタンジェンシャルチルト方向Ｔｉｔの４軸駆動が可能である。
【００５５】
ここで、ボビン１５をフォーカシング方向、チルト方向及びトラック方向に駆動させるために、第１ないし第４支持部材３０ａ，３０ｂ，３０ｃ，３０ｄが必要である。前記第１ないし第４支持部材３０ａ，３０ｂ，３０ｃ，３０ｄは螺旋形によられた形態を有するために支持部材全体的に駆動方向に関係なく剛性が均一である。
【００５６】
以上説明した例で、チルト兼用フォーカシングコイルとトラックコイルとをボビンの両側面だけに配すると説明したが、ボビンの４つの側面をいずれも使用してコイルを配することも可能である。
【００５７】
次に、図８に図示されたように前記ボビン１５の両側面に第１ないし第４フォーカスコイルＦＣ１，ＦＣ２，ＦＣ３，ＦＣ４と第１ないし第４チルトコイルＴｉＣ１，ＴｉＣ２，ＴｉＣ３，ＴｉＣ４とが独立的に備わった場合でのコイルと磁石間の作動関係を述べる。
【００５８】
前記第１ないし第４フォーカスコイルＦＣ１，ＦＣ２，ＦＣ３，ＦＣ４に電流入力を共通にできる。この場合、単純に電流の方向により前記ボビン１５を上向きまたは下向きに駆動できる。トラックコイルＴＣ１，ＴＣ２は前述したところと同一なのでこれについての説明はここでは省略する。
【００５９】
前記第１ないし第４チルトコイルＴｉＣ１，ＴｉＣ２，ＴｉＣ３，ＴｉＣ４にはそれぞれ独立的に電流を印加してラジアルチルト方向Ｔｉｒ及びタンジェンシャルチルト方向Ｔｉｔ駆動が可能である。まず、第１及び第２チルトコイルＴｉＣ１，ＴｉＣ２に同じ電流を印加し、第３及び第４チルトコイルＴｉＣ３，ＴｉＣ４に前記第１及び第２チルトコイルＴｉＣ１，ＴｉＣ２に印加された電流と異なる位相を有する電流を印加すれば、ラジアルチルト方向Ｔｉｒ駆動が可能である。これと異なり、第１及び第３チルトコイルＴｉＣ１，ＴｉＣ３に共通の電流を印加し、第２及び第４チルトコイルＴｉＣ２，ＴｉＣ４にそれと異なる位相を有する電流を印加すれば、タンジェンシャルチルト方向Ｔｉｔ駆動が可能である。
【００６０】
次に、本発明による光ピックアップアクチュエータを採用した光記録／再生装置は図９を参照すれば、ディスクＤを回転させるためのスピンドルモータ１８０がターンテーブル２０３下に設けられ、前記ターンテーブル２０３にディスクＤが装着され、前記ターンテーブル２０３との相互作用による電磁力によりディスクＤをチャッキングするためのクランピング２０５が前記ターンテーブル２０３と対向されるように設けられる。前記スピンドルモータ１８０によりディスクＤが回転される時、光ピックアップ装置２００に含まれた対物レンズ２，１４が前記ディスクＤの半径方向に移動可能に設けられ、ディスクに記録された情報を再生したり情報を記録するようになっている。
【００６１】
前記スピンドルモータ１８０と光ピックアップ装置２００とは駆動部２１０により駆動され、制御部２２０により前記光ピックアップ装置２００のフォーカス、チルト及びトラックサーボを制御することによってディスクに対するデータの記録及び／または再生が行われる。前記光ピックアップ装置２００は対物レンズ２，１４を有する光学系と、この対物レンズ２，１４をフォーカス、チルト及びトラック方向に駆動するための光ピックアップアクチュエータとを含む。
【００６２】
前記光ピックアップ装置２００を介して検出されて光電変換された信号は前記駆動部２１０を介して前記制御部２２０に入力される。前記駆動部２１０は前記スピンドルモータ１１２の回転速度を制御し、入力された信号を増幅させ、光ピックアップ装置２００を駆動させる。前記制御部２２０は駆動部２１０から入力された信号を基に調節されたフォーカスサーボ命令、チルトサーボ命令及びトラックサーボ命令をさらに駆動部２１０に送ってフォーカスサーボ、チルトサーボ及びトラッキングサーボを行う。
【００６３】
前記光ピックアップ装置２００に、前述の本発明による光ピックアップアクチュエータが採用される。本発明による光ピックアップアクチュエータは、図３に図示されたようにホルダ６とボビン５間に配された支持部材８を複数個有することを特徴とする。
【００６４】
本発明による支持部材８は少なくとも１つのワイヤパターンを有し、支持部材の個数を最少化できる利点があり、磁気駆動部の構造に関係なくして対称形アクチュエータまたは非対称型アクチュエータに関係なく適用できる。
【産業上の利用可能性】
【００６５】
本発明による支持部材は光ピックアップアクチュエータがスリム化されるほどさらに効果的に適用でき、アクチュエータの構造に関係なく広範囲に適用でき、例えば情報記録／再生装置に効果的に適用可能である。
【図面の簡単な説明】
【００６６】
【図１】従来の光ピックアップアクチュエータの斜視図である。
【図２Ａ】従来の光ピックアップアクチュエータに採用される磁気駆動部の作動関係を示した図面である。
【図２Ｂ】従来の光ピックアップアクチュエータに採用される磁気駆動部の作動関係を示した図面である。
【図３】本発明の望ましい実施例による支持部材が結合された光ピックアップアクチュエータの斜視図である。
【図４】本発明の望ましい実施例による支持部材の剛性をシミュレーションした結果を示した図面である。
【図５】本発明の望ましい実施例による光ピックアップアクチュエータの分解斜視図である。
【図６】本発明の望ましい実施例による光ピックアップアクチュエータの磁気駆動部を示した図面である。
【図７】本発明の望ましい実施例による光ピックアップアクチュエータの磁気駆動部を示した図面である。
【図８】本発明の望ましい実施例による光ピックアップアクチュエータの他の具現例である。
【図９】本発明の望ましい実施例による光記録／再生装置の概略図である。
【符号の説明】
【００６７】
２    対物レンズ
５    ボビン
６    ホルダ
８    支持部材
（＋）Ｆ    （＋）フォーカシングワイヤ
（―）Ｆ    （−）フォーカシングワイヤ
（＋）Ｐ，（−）Ｐ    ＬＣＤ駆動のためのワイヤ
（＋）Ｔ    （＋）トラッキングワイヤ
（−）Ｔ    （−）トラッキングワイヤ
（＋）ｔ    （＋）チルトワイヤ
（−）ｔ    （−）チルトワイヤ
【図１】
2005044500.tif 000003
【図２Ａ】
2005044500.tif 000004
【図２Ｂ】
2005044500.tif 000005
【図３】
2005044500.tif 000006
【図４】
2005044500.tif 000007
【図５】
2005044500.tif 000008
【図６】
2005044500.tif 000009
【図７】
2005044500.tif 000010
【図８】
2005044500.tif 000011
【図９】
2005044500.tif 000012